(57)【要約】      （修正有）【課題】ロールを汚染及び傷つきから保護しつつロールを保持するともに、人の目視による検査が行いやすい、ロール保持治具を提供する。【解決手段】ロール保持治具は、板状の台座部１０と、台座部１０の一面に略垂直に配された主柱部１４と、台座部１０に対し略垂直に主柱部１４に取り付けられ、面内方向に回動可能な板状の支持板１６と、台座部１０に対し横方向に支持板１６に取り付けられ、ロール内部を挿通することにより、該ロールを浮かせた状態で保持する複数の支柱部１７と、を有し、支持板１６を面内で回動させることにより複数の支柱部１７の位置を変更可能である。【選択図】図１
0003194849.tif 000002
【実用新案登録請求の範囲】
【請求項１】
板状の台座部と、
前記台座部の一面に略垂直に配された主柱部と、
前記台座部に対し略垂直に前記主柱部に取り付けられ、面内方向に回動可能な板状の支持板と、
前記台座部に対し横方向に前記支持板に取り付けられ、ロール内部を挿通することにより、該ロールを浮かせた状態で保持する複数の支柱部と、を有し、
前記支持板を面内で回動させることにより前記複数の支柱部の位置を変更可能であることを特徴とするロール保持治具。
【請求項２】
前記台座部がポリアセタール樹脂を含む、請求項１に記載のロール保持治具。
【請求項３】
前記支持板のうち前記主柱部側の面には、所定の位置に位置決め用の凹部が設けられ、
前記主柱部は差し込みピンを有し、
前記差し込みピンが前記凹部に差し込まれることにより、前記支持板が前記主柱部に対し所定の位置で固定される、請求項１又は２に記載のロール保持治具。
【考案の詳細な説明】
【技術分野】
【０００１】
本考案は、ロール保持治具に関する。詳しくは、ロールの外観を検査し、ボールコンベア上を運搬するための治具に関する。
【背景技術】
【０００２】
例えばポリオレフィン樹脂からなるシートは、有機溶媒耐性、電子絶縁性に優れることから、リチウムイオン二次電池など、種々の電池用セパレータとして使用されている。
このようなシートは、通常、円管状の支持管（コア）に巻回された巻回体（マザーロール）として構成されている。そして、出荷の際には、幅の広いシートを所望の寸法幅に裁断してから出荷している。電池用セパレータの場合、電池の寸法が様々なので、シートを電池の寸法に応じた幅に裁断（スリット）し、裁断されたシートをコアに捲回してスリットロールとして出荷されている（例えば特許文献１参照）。
【０００３】
近年では、電池の高容量化に伴って捲回する電極とセパレータとが長くなる傾向があり、さらには捲回工程の生産性を向上させるための高速生産を実施することもある。そのため、セパレータ捲回物には、例えば、耳立ち、巻きズレ、曲がり、皺等のない高品質性が求められている。
前記したような、耳立ち、巻きズレ、曲がり、皺等の欠陥の有無を調べる検査は、通常、人が目視でロールを観察することにより行われる。
【先行技術文献】
【特許文献】
【０００４】
【特許文献１】特開２００２−２７３６８４号公報
【考案の概要】
【考案が解決しようとする課題】
【０００５】
ところで、ロールを運搬及び検査する際には、電池用セパレータとして求められる性質上、シートを傷つき及び埃による汚染等から保護する必要がある。
しかしながら、ロールは大きくて重いため、検査の際に、全体を観察するためにロールを手で持って回したりすることは大変困難なことであった。
また、検査時にロールに傷がついたり、汚染されたりする虞があった。そのため、シートが巻回されたロールを、傷つき及び汚染から保護しつつ運搬及び検査ができる保持治具が求められている。
【０００６】
本考案は、上述した従来の実情に鑑みてなされたものであり、ロールを汚染及び傷つきから保護しつつロールを保持するともに、人の目視による検査が行いやすい、ロール保持治具を提供することを目的とする。
【課題を解決するための手段】
【０００７】
［１］
板状の台座部と、
前記台座部の一面に略垂直に配された主柱部と、
前記台座部に対し略垂直に前記主柱部に取り付けられ、面内方向に回動可能な板状の支持板と、
前記台座部に対し横方向に前記支持板に取り付けられ、ロール内部を挿通することにより、該シートロールを浮かせた状態で保持する複数の支柱部と、を有し、
前記支持板を面内で回動させることにより前記複数の支柱部の位置を変更可能であることを特徴とするロール保持治具。
［２］
前記台座部がポリアセタール樹脂を含む、［１］に記載のロール保持治具。
［３］
前記支持板のうち前記主柱部側の面には、所定の位置に位置決め用の凹部が設けられ、
前記主柱部は差し込みピンを有し、
前記差し込みピンが前記凹部に差し込まれることにより、前記支持板が前記主柱部に対し所定の位置で固定される、［１］又は［２］に記載のロール保持治具。
【考案の効果】
【０００８】
本考案のロール保持治具では、ロールを浮かせた状態で保持することができるので、ロールを傷つけたりすることなく、検査が可能である。また、複数の支柱部が取り付けられた支持板が、面内方向で回動可能とされているので、支持板を回動させることにより、支柱部に保持されたロールの位置を変更可能である。このため、ロールの全体を見ることができ、外観検査を容易に行うことができる。
【図面の簡単な説明】
【０００９】
【図１】本考案のロール保持治具の一構成例を示す斜視図である。
【図２】本考案のロール保持治具の一構成例を示す斜視図である。
【図３】本考案のロール保持治具にロールを保持した状態を示す斜視図である。
【図４】位置決め用凹部及び位置決めピンの部分を拡大して示す図である。
【図５】位置決め用凹部及び位置決めピンの部分を拡大して示す図である。
【考案を実施するための形態】
【００１０】
以下、本考案の実施の形態について、図面を参照しながら説明する。
図１及び図２は、本考案のロール保持治具の一構成例を示す斜視図である。
ロール保持治具１は、板状の台座部１０と、台座部１０の一面に略垂直に配された主柱部１４と、台座部１０に対し略垂直に主柱部１４に取り付けられ、面内方向に回動可能な板状の支持板１６と、台座部１０に対し横方向に支持板１６に取り付けられ、ロール２０内部を挿通することにより、該ロール２０を浮かせた状態で保持する複数の支柱部１７と、を有し、支持板１６を面内で回動させることにより複数の支柱部１７の位置を変更可能であることを特徴とする。
本考案のロール保持治具１では、ロール２０を浮かせた状態で保持することができるので、ロール２０を傷つけたりすることなく、検査及び運搬が可能である。また、複数の支柱部１７が取り付けられた支持板１６が、面内方向で回動可能とされているので、支持板１６を回動させることにより、支柱部１７に保持されたロール２０の位置を変更可能である。このため、ロール２０の全体を見ることができ、外観検査を容易に行うことができる。
【００１１】
台座部１０は、板状を有する。
図１及び図２に示すロール保持治具１では、台座部１０は、矩形状の枠体１１と、枠体１１の下側に取り付けられた板体１２とを有する。
台座部１０は、支柱部１７に保持されるロール２０の重さを支えることができるように、支柱部１７及びロール２０に対して十分な長さを有している。保持されるロール２０の長さよりも長いことが好ましい。
台座部１０が十分な長さを有することにより、ロール２０の重さによって傾いたりすることなく、安定してロール２０を保持することができる。
【００１２】
台座部１０のうち、枠体１１は、例えばアルミニウム材から成る。
また、板体１２は、ポリアセタール樹脂から成ることが好ましい。板体１２をポリアセタール樹脂から構成することで、このロール保持治具１を例えばボールコンベア上を滑らせて搬送する際に、滑りがよくなり、なめらかに搬送することができる。このようなポリアセタール樹脂としては例えばジュラコン（登録商標）が挙げられる。
【００１３】
また、台座部１０には取っ手１３が設けられていてもよい。ボールコンベア上を搬送させるときに、作業者がこの取っ手１３を掴んで手前に引き寄せたりすることができ、作業を容易にすることができる。
【００１４】
主柱部１４は、台座部１０の一面に略垂直に配されている。主柱部１４は、略長方形状の台座部１０の短辺側の略中央に設けられている。
主柱部１４の上部に、支持板１６が取り付けられる支持板取付け部１５が設けられている。
【００１５】
支持板１６は、長形の板状を成し、その一面１６ａ側が、主柱部１４の支持板取付け部１５に取り付けられている。支持板１６は、台座部１０に対し略垂直に配され、面内方向で回動可能とされている。図１は、支持板１６を縦向きにした状態を示し、図２は、支持板１６を横向きにした状態を示している。
【００１６】
支柱部１７は、台座部１０に対し横方向に、支持板１６の他面１６ｂ側に設けられる。支柱部１７は、複数、図１及び図２に示す例では２か所設けられている。支柱部１７は、例えば三角形状に配された３本の棒体１７ａを有している。支柱部１７、支持板１６および支柱部１７（棒体１７ａ）は、例えばいずれもアルミニウム材から成る。
図３に示すように、支柱部１７は、これら３本の棒体１７ａが、１つのロール２０のコア内部に挿入されることにより、ロール２０を浮かせた状態で保持する。三角形状に配された３本の棒体１７ａにより、コア径の大きなロール２０でも安定して保持することができる。同様に一本の棒体１７ａで、コア径の小さなロール２０も安定して保持することができる。ロール２０を浮かせた状態で保持することで、ロール２０を傷つけたりすることなく、検査及び搬送が可能である。
【００１７】
このロール保持治具１では、ロール２０を支持する棒体１７ａ自体は回転せず、棒体１７ａが取り付けられた支持板１６を回動させることにより、ロール２０の位置及び向きを変更させている。支持板１６の向きを縦と横で変えることにより、ロール２０の位置及び向きも変わる。支持板１６を１回転させることにより、ロール２０は、端面が円を描くように１回転する。
【００１８】
図４及び図５は、支持板１６及び支持板取付け部１５の部分を拡大して示す図である。
支持板１６のうち、主柱部１４（支持板取付け部１５）側である一面１６ａには、所定の位置に位置決め用の凹部１８が設けられている。例えば、凹部１８は、９０°ずつ間隔をおいて、上下左右の４か所に設けられている。
支持板取付け部１５には、差し込みピン１９が配されており、差し込みピン１９が凹部１８に差し込まれることにより、支持板１６が主柱部１４に対し所定の位置で固定される。この差し込みピン１９は、例えばバネ（図示略）によって支持板１６の方向に付勢されている。
支持板１６を回転させる場合には、図５に示すように、バネの付勢力に抗して差し込みピン１９を引っ張り、凹部１８から外れた状態とする。この状態で支持板１６を回転させる。別の凹部１８が差し込みピン１９の位置にくるまで支持板１６を回転させ、所望の凹部１８の位置にきたところで、差し込みピン１９のバネに対する抗力を解除する。バネの付勢力によって、差し込みピン１９は凹部１８に陥入する。これにより、支持板１６が所定の向きで支持板取付け部１５に固定される。これにより、支持板１６を所定の位置、例えば縦長の位置及び横長の位置で固定することができる。
【００１９】
ロール保持治具１（台座部１０）の長辺側に観察者が立ち、支持板１６を順次（例えば９０°ずつ）回転させ、１回転させることで、ロール２０は、外周面で観察者側に向ける領域を順次変えながら、端面が円を描くように１回転する。これにより観察者はロール２０の全体を見ることができる。これによりロール２０を転がしたり、観察者が移動したりすることなく、目視による検査を容易に行うことができる。また、ロール２０を宙に浮かせた状態で検査するため、ロール２０の傷つきや汚染が防止される。
また、ロール２０を支持板１６及び棒体１７ａに支持させた状態で、支持板１６ごと回転させることで、比較的大きなロールや重いロールであっても、少ない力でロール２０を回転させることができる。
【００２０】
以上説明してきたように、本考案のロール保持治具では、ロールを浮かせた状態で保持することができるので、ロールを傷つけたりすることなく、検査が可能である。また、複数の支柱部が取り付けられた支持板が、面内方向で回動可能とされているので、支持板を回動させることにより、支柱部に保持されたロールの位置を変更可能である。このため、ロールの全体を見ることができ、外観検査を容易に行うことができる。
【００２１】
以上、本考案の実施の形態について説明してきたが、本考案はこれに限定されるものではなく、考案の趣旨を逸脱しない範囲で適宜変更可能である。
【産業上の利用可能性】
【００２２】
本考案によるロール保持治具を用いることで、ロールを浮かせた状態で保持することができるので、ロールを傷つけたりすることなく、検査及び搬送が可能となり、セパレータ用のロール保持治具として広く利用することができる。
【符号の説明】
【００２３】
１    ロール保持治具
１０    台座部
１１    枠体
１２    板体
１４    主柱部
１６    支持板
１７    支柱部
１７ａ    支持棒
１８    凹部
１９    差し込みピン
２０    ロール
【図１】
0003194849.tif 000003
【図２】
0003194849.tif 000004
【図３】
0003194849.tif 000005
【図４】
0003194849.tif 000006
【図５】
0003194849.tif 000007